(57)【特許請求の範囲】
【請求項１】
間仕切パネル体の側方の隙間を閉塞する移動間仕切装置の側部閉塞機構であって、
前記側部閉塞機構は、上下方向に前進後退する駆動部及び前記駆動部の上下方向への動きを略水平方向への動きに変換するリンク部を有する進退機構と、前記リンク部に接続された上下方向に延びる閉塞部材とを備え、
前記閉塞部材は、上下方向に複数設けられた前記進退機構に接続され、前記進退機構のそれぞれに対応するように、各前記閉塞部材の左右方向位置をそれぞれ検知する検知手段が設けられていることを特徴とする移動間仕切装置の側部閉塞機構。
【発明の詳細な説明】
【技術分野】
【０００１】
本発明は、オフィスや大会場、会議室等を所定の区画に仕切って使用するための移動間仕切装置の側部閉塞機構に関する。
【背景技術】
【０００２】
一般に移動間仕切装置は、天井に設けられたレールに吊支された移動パネルを連接してオフィスや大会場、会議室等の部屋を所定の区画に仕切る用途で利用されている。このような移動間仕切装置にあっては、複数の間仕切パネル体を連接し壁面を形成する際に間仕切パネル体と部屋の側壁との間に隙間が生じ、この隙間から光漏れや音漏れが生じるという問題があった。そこで特許文献１に開示されるように、側壁内に進退可能な接圧材（閉塞部材）を備える隙間遮蔽装置（側部閉塞機構）を設け、この接圧材を側壁と隣接するサイドパネル（間仕切パネル体）の側部に対して圧接させることで当該隙間を閉塞できるようにしたものがある。
【先行技術文献】
【特許文献】
【０００３】
【特許文献１】特開平８−９３３５０号公報（第３頁、第１図）
【発明の概要】
【発明が解決しようとする課題】
【０００４】
特許文献１にあっては、隙間遮蔽装置は、接圧材に相対回動不能に固定されたボールナットと、該ボールナットと螺合し、モータにより回転駆動する接圧材の進退方向に延びるボールネジとを備えた装置本体により主に接圧材が進退移動されるようになっている。そのため、接圧材を進退させる際には接圧材の進退代に加えて、接圧材を進退させる装置本体自体の左右方向の幅を有し、部屋の側壁は、これらを収めるための左右方向の奥行寸法を備える必要があり、壁面を形成するための空間が制限されるという問題があった。
【０００５】
本発明は、このような問題点に着目してなされたもので、壁面を形成するための空間の制限を限りなく少なくした移動間仕切装置の側部閉塞機構を提供することを目的とする。
【課題を解決するための手段】
【０００６】
前記課題を解決するために、本発明の移動間仕切装置の側部閉塞機構は、
間仕切パネル体の側方の隙間を閉塞する移動間仕切装置の側部閉塞機構であって、
前記側部閉塞機構は、上下方向に前進後退する駆動部及び前記駆動部の上下方向への動きを略水平方向への動きに変換するリンク部を有する進退機構と、前記リンク部に接続された上下方向に延びる閉塞部材とを備え、
前記閉塞部材は、上下方向に複数設けられた前記進退機構に接続され、前記進退機構のそれぞれに対応するように、各前記閉塞部材の左右方向位置をそれぞれ検知する検知手段が設けられていることを特徴としている。
この特徴によれば、側部閉塞機構の駆動部の上下方向への動きをリンク部により略水平方向への動きに変換することから、駆動部を上下方向に配置でき、閉塞部材の略水平方向への移動に必要な移動距離を確保しながら、側部閉塞機構の左右方向の幅を小さくすることができる。
【０００７】
前記閉塞部材は、上下方向に複数設けられた前記進退機構に接続され、前記進退機構のそれぞれに対応するように、各前記閉塞部材の左右方向位置をそれぞれ検知する検知手段が設けられていることを特徴としている。
この特徴によれば、上下方向に複数設けられた小型の駆動部を利用して閉塞部材を移動させ、確実に隙間を閉塞させることができる。
【０００８】
前記間仕切パネル体及び前記閉塞部材は、天井に設けられた同じ誘導路に移動可能に吊支されていることを特徴としている。
この特徴によれば、間仕切パネル体と閉塞部材はいずれも同じ誘導路に吊支されることにより、両者の側方位置を精度よく合わせることができ、遮蔽効果が高い。
【図面の簡単な説明】
【０００９】
【図１】実施例における移動間仕切装置の設置例を示す斜視図である。
【図２】移動間仕切装置の側部閉塞機構による間仕切パネルの閉塞及び押圧の様子を示す斜視図である。
【図３】移動間仕切装置の側部閉塞機構の構造を示す部分断面図である。
【図４】（ａ）及び（ｂ）は、移動間仕切装置の側部閉塞機構の閉塞部材及び進退機構の閉塞動作を示す部分断面図である。
【図５】移動間仕切装置の側部閉塞機構の変形例を示す部分断面図である。
【発明を実施するための形態】
【００１０】
本発明に係る移動間仕切装置の側部閉塞機構を実施するための形態を実施例に基づいて以下に説明する。
【実施例】
【００１１】
実施例に係る移動間仕切装置の側部閉塞機構につき、図１から図４を参照して説明する。以下、図３の画面手前側を移動間仕切装置の側部閉塞機構の正面側（前方側）とし、図３の画面奥側を移動間仕切装置の側部閉塞機構の背面側（後方側）とし、その前方側から見たときの上下左右方向を基準として説明する。
【００１２】
本実施例の移動間仕切装置１０は、例えば、オフィスや展示会場、会議室等の室内空間を区画するために設置され、図１に示されるように、室内空間に天井Ｃに設置されるレール３（誘導路）に沿って移動可能な吊支部材３４，３４により上端を吊支される複数の間仕切パネル２，２，…（間仕切パネル体）から主に構成され、レール３の一方の端部に設けられる格納レール３５の位置に格納された間仕切パネル２，２，…をレール３に沿って側壁Ｗに設けられる移動規制端部４の方向に所定の位置まで手動で順次移動させることによって、間仕切パネル２，２，…を一列に連接させて天井Ｃから床の床面Ｆに亘って室内空間を仕切ることができるようになっている。
【００１３】
尚、移動規制端部４とは、移動間仕切装置１０を構成する間仕切パネル２，２，…の内、先頭に設置される間仕切パネル２が当接し、先頭の間仕切パネル２の移動を規制する端部を構成する所定の側壁部や支柱等のことである。
【００１４】
また、図２に示されるように、移動間仕切装置１０を構成する間仕切パネル２，２，…の内、最後尾の間仕切パネル２’は、側壁Ｗに設けられる側部閉塞機構１から左右方向に進出退入可能に移動する側部閉塞部材１２によって間仕切パネル２’の側部２ａと側部閉塞機構１との隙間を閉塞されるようになっている。尚、間仕切パネル２’の側部２ａと側部閉塞機構１との隙間が側部閉塞部材１２により閉塞される際に、側部閉塞部材１２によって間仕切パネル２’が移動規制端部４の方向に押圧されることにより、一列に連接された間仕切パネル２，２，…，２’がそれぞれ移動規制端部４の方向に押圧され、隣接する間仕切パネル２，２，…，２’同士を密着させて遮音性や遮蔽性が高められるようになっている。
【００１５】
また、本実施例において、間仕切パネル２，２，…，２’は、レール３及び床面Ｆとの間の上下の隙間を閉塞する図示しない閉塞部材を備えており、側部閉塞部材１２によって間仕切パネル２，２，…，２’がそれぞれ移動規制端部４の方向に押圧され、間仕切パネル２，２，…，２’の側方の当接部分が上下左右に亘り精度良く位置決めされた状態で閉塞部材を動作させることができ、移動間仕切装置１０による空間の遮蔽性を確実に高めることができるようになっている。
【００１６】
次いで、側部閉塞機構１の構造について図２及び図３を用いて説明する。側部閉塞機構１は、上述した移動間仕切装置１０における移動規制端部４と対向する側壁Ｗに埋設されている。
【００１７】
側部閉塞機構１は、側壁Ｗに埋設されるベース体１１と、レール３に沿って移動可能な吊支部材３４により吊支される側部閉塞部材１２（閉塞部材）と、側部閉塞部材１２を左右方向に動作させる複数の進退機構１３，１３，…と、から主に構成されている。
【００１８】
ベース体１１は、側壁Ｗに対して所定の奥行きを形成するように上下方向に亘って凹設された空間Ｘに対して該空間Ｘの内壁に沿うように鋼板を断面視コ字状に成形したものであり、側部閉塞部材１２と進退機構１３，１３，…が格納される格納部１１ａと、移動規制端部４側に向く開放部分を構成し側部閉塞部材１２が進出退入可能な開口部１１ｂと、から構成されている。また、天井Ｃに設置されるレール３の端部３ｂは、側部閉塞機構１が埋接された側壁Ｗ内の空間Ｘの内側に入り込むように延設されている。
【００１９】
側部閉塞部材１２は、間仕切パネル２の上下方向に亘って延びる密閉部材２０と、該密閉部材２０の左方（側壁Ｗ側）に設けられ後述する進退機構１３の第１リンク部３２により軸支される支持部材２１，２１，…と、密閉部材２０と支持部材２１とを左右方向に接離可能に連結する一対の弾性部材２２，２２と、から主に構成されている。
【００２０】
密閉部材２０は、間仕切パネル２よりも上下方向に長寸であり、上下端がレール３の下面３ａ及び床面Ｆにそれぞれ接触しない程度に近接した状態で、ベース体１１の開口部１１ｂから右方（移動規制端部４の方向）に向けて進出可能になっている。また、密閉部材２０の側端２０ａには、弾性を有するゴム等で形成された緩衝部材２００，２００が固着されている。
【００２１】
密閉部材２０をベース体１１の格納部１１ａから移動規制端部４の方向に向けて進出させた場合、緩衝部材２００の接触面２００ａが隣接する最後尾の間仕切パネル２’の側部２ａに当接し、密閉部材２０の側面部により間仕切パネル２’の側部２ａと側部閉塞機構１との隙間を閉塞できるようになっている（図４（ｂ）参照）。尚、密閉部材２０の内部には、図示しない吸音材が設けられており、閉塞時の遮音性が高められている。
【００２２】
支持部材２１，２１，…は、密閉部材２０よりも上下方向に短寸を成し、密閉部材２０の左方に後述する進退機構１３，１３，…の数に対応して設けられている。また、支持部材２１，２１，…は、進退機構１３，１３，…の第１リンク部３２，３２，…の端部３２ｂ，３２ｂ，…により上下方向の重心を外した一点の軸支部分Ｐ，Ｐ，…で軸支されている。
【００２３】
支持部材２１，２１，…の移動規制端部４側の側面２１ａ，２１ａ，…の上下端近傍には、一対の弾性部材２２，２２がそれぞれ設けられている。
【００２４】
弾性部材２２は、左右方向に付勢するコイル状の圧縮バネ２２ａと、該圧縮バネ２２ａに軸通されるボルト形状の軸芯２２ｂと、から構成されており、軸芯２２ｂの一方の端部２２ｃは、支持部材２１を貫通するように螺着されている。
【００２５】
また、軸芯２２ｂの他方の端部２２ｃは、密閉部材２０の側部２０ｂに穿設される貫通孔２０ｅと、密閉部材２０におけるハット形状の押圧部２０ｃの貫通孔２０ｆと、を貫通し、軸芯２２ｂの端部２２ｃに規制部材２０ｄが螺嵌することにより、軸芯２２ｂの端部が抜け止めされた構造となっている。
【００２６】
このように、弾性部材２２，２２の弾性復帰力と、軸芯２２ｂ，２２ｂの抜け止めの構造とによって、密閉部材２０との間に所定の左右間隔が保持されるようになっている。
【００２７】
また、密閉部材２０と支持部材２１，２１，…との間には、リミットスイッチ２３，２３，…（検知手段）設けられている。
【００２８】
リミットスイッチ２３は、密閉部材２０の側部２０ｂに取付けられており、ここでは構造を詳細に図示しないが、移動間仕切装置１０の制御部（図示略）に接続される電気回路の開閉を行うマイクロスイッチ（図示略）を内蔵するスイッチ本体２３ａと、設置孔から密閉部材２０の左方に突出し左右に回動可能なヒンジ・レバー形の作動体２３ｂと、該作動体２３ｂの動作により操作されるプッシュプランジャ形のアクチュエータ（図示略）と、から構成されている。
【００２９】
また、作動体２３ｂの先端は、支持部材２１の軸支部分Ｐから遠い位置に設けられる弾性部材２２の近傍に向けて延びており、密閉部材２０と支持部材２１との隙間が上下方向に亘って閉塞した場合にのみ作動体２３ｂが回動してアクチュエータが操作され、閉信号が出力されるようになっている（図４（ｂ）参照）。
【００３０】
進退機構１３，１３，…は、図示しない電源から供給される電力により駆動する直動モータ３０，３０，…（駆動部）と、直動モータ３０，３０，…の動力を側部閉塞部材１２の支持部材２１，２１，…に伝達するリンク部３１，３１，…と、からそれぞれ構成されている。尚、進退機構１３，１３，…は、同一構成であるため、レール３側に設けられる進退機構１３について説明し、他の進退機構１３，１３，…については説明を省略する。
【００３１】
直動モータ３０は、回転運動を直線運動に変換する図示しない台形ネジを内蔵するシリンダ３０ａと、台形ネジの先端に取付けられシリンダ３０ａの端部から上下方向に直線的に進退可能に設けられるロッド３０ｂと、から構成されている。また、運動伝達の精度が高い台形ネジを使用した直動モータ３０によりロッド３０ｂを動作させているため、ロッド３０ｂを電力の供給が停止された際の停止位置で保持できるようになっている。
【００３２】
リンク部３１は、長尺の第１リンク部３２と、短尺の第２リンク部３３と、から構成され横向き略入字状を成しており、第１リンク部３２は、一方の端部３２ａを直動モータ３０のロッド３０ｂの先端に回動可能に連結され、他方の端部３２ｂを前述した支持部材２１の軸支部分Ｐに回動可能に連結されている。また、第２リンク部３３は、一方の端部３３ａをベース体１１の格納部１１ａに回動可能に連結され、他方の端部３３ｂを第１リンク部３２の長手方向の略中央部分に回動可能に連結されている。これによれば、直動モータ３０のロッド３０ｂの左右方向の直線運動を受けて、リンク部３１は、第１リンク部３２と第２リンク部３３との協働により支持部材２１の軸支部分Ｐに回動可能に連結される第１リンク部３２の端部３２ｂを、略左右方向に直線運動させるように力の方向の変換を行うことができる。尚、リンク部３１は、左右寸法が上下寸法よりも短くなるように構成されている。
【００３３】
次いで、ベース体１１の格納部１１ａに格納される側部閉塞部材１２及び進退機構１３，１３，…による閉塞動作について図４を用いて詳しく説明する。
【００３４】
図４（ａ）に示されるように、側部閉塞部材１２及び進退機構１３による閉塞動作が開始されると、先ず、電源から供給される電力を受けて進退機構１３を構成する直動モータ３０が駆動されロッド３０ｂが同時に上方向に進出し、これに伴って第１リンク部３２の端部３２ａと第２リンク部３３の端部３３ａとが近づくことにより、第２リンク部３３が端部３３ａを支点に反時計回りに回動し、端部３３ｂを上方に移動させる。
【００３５】
第２リンク部３３の端部３３ｂの上方への移動により、端部３３ｂに軸支された第１リンク部３２の端部３２ｂが略右方向に移動する。すなわち、直動モータ３０が駆動されることによるロッド３０ｂの移動の力の方向（上方向）が、第１リンク部３２の端部３２ｂを略右方向に移動させるような力の方向に変換される。
【００３６】
このように上下方向に複数設けられた進退機構１３，１３，…の第１リンク部３２，３２，…の端部３２ｂ，３２ｂ，…の略移動規制端部４への移動により、第１リンク部３２，３２，…の端部３２ｂ，３２ｂ，…と軸支部分Ｐ，Ｐ，…で回動可能に支持された支持部材２１，２１，…がそれぞれ右方に押出され、密閉部材２０が最後尾の間仕切パネル２’の側部２ａに対して略平行な状態を維持しながら右方に進出し始める。
【００３７】
直動モータ３０，３０，…の駆動が継続されロッド３０ｂ，３０ｂ，…が上方向にさらに進出していくと、図４（ｂ）に示されるように、密閉部材２０に固着された緩衝部材２００の接触面２００ａが最後尾の間仕切パネル２’の側部２ａに当接する。
【００３８】
また、密閉部材２０に固着された緩衝部材２００の接触面２００ａと最後尾の間仕切パネル２’の側部２ａとが面同士で当接した時点では、直動モータ３０の駆動は継続されており、密閉部材２０及び支持部材２１，２１，…は、右方にさらに押圧され、密閉部材２０と支持部材２１，２１，…との左右の隙間がそれぞれ上下方向に亘って全て閉塞される。これに伴いリミットスイッチ２３，２３，…の作動体２３ｂ，２３ｂ，…が回動してアクチュエータが操作されることにより閉塞完了状態が検知され、前述した移動間仕切装置１０の制御部に閉塞動作の完了を知らせる閉信号が送られる。閉信号を受け取った制御部は、直動モータ３０，３０，…の駆動を停止させ側部閉塞部材１２及び進退機構１３，１３，…による閉塞動作が完了する。
【００３９】
また、閉塞完了状態においては、前述したように電力の供給が停止された際のロッド３０ｂ，３０ｂ，…が正確な位置で停止されていることから、密閉部材２０と支持部材２１，２１，…とをそれぞれ連結する弾性部材２２，２２の圧縮バネ２２ａ，２２ａが蓄勢された状態で維持されており、圧縮バネ２２ａ，２２ａの付勢力より最後尾の間仕切パネル２’の側部２ａに密閉部材２０を当接させて隙間なく閉塞できるようになっている。
【００４０】
これによれば、仮に、閉塞動作の完了後に側部閉塞部材１２及び進退機構１３，１３，…の構成部のいずれかが僅かに動作し、支持部材２１，２１，…が退入方向に移動した場合であっても、圧縮バネ２２ａ，２２ａの付勢力より最後尾の間仕切パネル２’の側部２ａに密閉部材２０を当接させた状態を維持することができる。
【００４１】
また、進退機構１３，１３，…により右方に押出される支持部材２１，２１，…の軸支部分Ｐ，Ｐ，…が上下方向の重心からずれていることにより、最後尾の間仕切パネル２’の側部２ａに当接した密閉部材２０には支持部材２１，２１，…からそれぞれ偏荷重が作用するものであるが、上下の圧縮バネ２２ａ，２２ａは、同じ圧縮代で圧縮されるため、密閉部材２０による押圧力を上下方向に亘って略均一に調整することができる。
【００４２】
尚、閉塞状態を解除する動作は、上述した閉塞動作の逆の順序で動作することにより行われる。この場合、所定の開検知スイッチ等を設けることにより密閉部材２０全体が格納部１１ａに退入して閉塞状態を解除が完了したことを検知できるようにしてもよい。
【００４３】
以上説明したように、側部閉塞機構１の進退機構１３，１３，…は、直動モータ３０，３０，…のロッド３０ｂ，３０ｂ，…の上下方向への動きをリンク部３１，３１，…により支持部材２１，２１，…の軸支部分Ｐ，Ｐ，…において略水平方向への直線運動に力の向きを変換することができるため、進退機構１３，１３，…自体の左右寸法を小さく構成することができ、側部閉塞部材１２の左右方向への移動に必要な移動距離を確保しながら、側部閉塞機構１の左右寸法を小さくすることができる。
【００４４】
また、側部閉塞機構１の左右寸法を小さくできることから、側部閉塞機構１を収めるために必要な側壁Ｗの厚みが少なくて済み、移動間仕切装置１０を形成するための空間が制限され難くなる。
【００４５】
また、側部閉塞部材１２は、上下方向に複数設けられた進退機構１３，１３，…に接続され、進退機構１３，１３，…のそれぞれに対応するように、密閉部材２０と各支持部材２１，２１，…との左右の隙間をそれぞれ検知するリミットスイッチ２３，２３，…が設けられているため、上下方向に複数設けられた小型の直動モータ３０，３０，…を利用して側部閉塞部材１２を移動させ、確実に隙間を閉塞させることができる。
【００４６】
また、間仕切パネル２，２，…２’及び密閉部材２０は、天井Ｃに設けられる同じレール３に沿って移動可能な吊支部材３４，３４，…により吊支されているため、間仕切パネル２，２，…２’及び密閉部材２０の側方位置を精度よく合わせることができ、遮蔽効果を高めることができる。
【００４７】
また、密閉部材２０は、支持部材２１，２１，…と連結される左方の側部２０ｂ側を吊支部材３４により吊支されているため、進退機構１３，１３，…により支持部材２１，２１，…が右方に押出される力や、密閉部材２０と支持部材２１，２１，…との間をそれぞれ連結する弾性部材２２，２２からの付勢力を受けて密閉部材２０が移動しやすくなっている。
【００４８】
また、図５に示されるように、側部閉塞機構１の変形例としては、側部閉塞部材１２を構成する支持部材２１は、支持部材２１の正面側上方に上下方向に長孔２１ｂがそれぞれ穿設され、第１リンク部３２の端部３２ｂが、長孔２１ｂに沿って上下方向に摺動可能に軸支部分Ｐでそれぞれ軸支されている。これによれば、進退機構１３，１３，…の動作が同時に行われず、軸支部分Ｐ，Ｐ，…に歪みが生じても、長孔２１ｂ，２１ｂ，…に沿って軸支部分Ｐ，Ｐ，…がそれぞれ上下方向に摺動して軸支部分Ｐ，Ｐ，…にかかる力を分散することができる。
【００４９】
尚、本実施例における側部閉塞機構１は、側壁Ｗに埋設される態様として説明したが、これに限らず、側部閉塞機構１は、間仕切パネルと同様にレール３に沿って移動可能となっていてもよく、例えば、移動間仕切装置１０を構成する間仕切パネル２，２，…２’がガラスパネルから構成されている場合には、側部閉塞機構１の左右寸法を小さくできるため、移動間仕切装置１０におけるガラス面の左右寸法を大きく構成して、移動間仕切装置１０の美観を向上させることができる。
【００５０】
また、支持部材２１，２１，…は、進退機構１３，１３，…のリンク部３１，３１，…に対して軸支部分Ｐ，Ｐ，…に回動可能に連結されていれば、一点支持される必要はなく、例えば、平行リンク等によって２点で軸支されてもよい。また、支持部材２１，２１，…の軸支部分Ｐ，Ｐ，…は上下方向の重心位置であってもよい。
【００５１】
以上、本発明の実施例を図面により説明してきたが、具体的な構成はこれら実施例に限られるものではなく、本発明の要旨を逸脱しない範囲における変更や追加があっても本発明に含まれる。
【００５２】
例えば、前記実施例において、側部閉塞機構１は、電源から供給される電力により駆動する直動モータ３０，３０，…の動力を受けて側部閉塞部材１２が閉塞動作を行う態様として説明したが、これに限らず、例えば、クランクハンドルを用いてウォームギアを連動させることにより手動で側部閉塞部材１２の閉塞動作を行うようなものであってもよい。
【００５３】
また、前記実施例において、リンク部３１，３１，…は、別体の第１リンク部３２，３２，…と第２リンク部３３，３３，…とが回動可能に連結される態様として説明したが、これに限らず、リンク部３１は、直動モータ３０，３０，…のロッド３０ｂ，３０ｂ，…の上下方向への動きを支持部材２１，２１，…の軸支部分Ｐ，Ｐ，…において左右方向への動きに変換するものであれば、リンク部３１，３１，…を構成する部材の形状や数、連結部分等は自由に構成されてよい。
【符号の説明】
【００５４】
１                側部閉塞機構
２，２’          間仕切パネル（間仕切パネル体）
３                レール（誘導路）
４                移動規制端部
１０              移動間仕切装置
１１              ベース体
１２              側部閉塞部材（閉塞部材）
１３              進退機構
２０              密閉部材
２１              支持部材
２２              弾性部材
２３              リミットスイッチ（検知手段）
３０              直動モータ（駆動部）
３１              リンク部
３２              第１リンク部
３３              第２リンク部
３４              吊支部材
２００            緩衝部材
２００ａ          接触面
【図１】
0006731752.tif 000002
【図２】
0006731752.tif 000003
【図３】
0006731752.tif 000004
【図４】
0006731752.tif 000005
【図５】
0006731752.tif 000006